(57)【要約】【課題】  入力ストリームを記録再生手段に記録し再生するデジタル放送受信機において、蓄積手段への記録と並行して異なるストリームの外部への出力を行う。【解決手段】  本発明においては、指定した番組データだけを抽出すると共に再生時に参照するパケットデータを多重しあるいはパケットの書換え機能を有するリマックス手段を複数系統（例えば、２系統）設けることにより、一つのストリームを内蔵蓄積手段に記録すると同時に異なるストリームを外部に出力する動作を同時に行うことが出来るようにした。【選択図】  図１
2006352721.tif 000002
【特許請求の範囲】
【請求項１】
放送波を受信する受信部と、
該受信部により受信された該放送波を復調する復調部と、
該復調部により復調された該放送波から指定されたデータを抽出すると共に新たに作成しあるいは予め用意したデータを多重するリマックス部と、
前記リマックス部を複数有し、前記複数のリマックス部の出力を記録し、あるいは外部に出力するように制御する制御部とを備えることを特徴とする受信装置。
【請求項２】
請求項１記載の受信装置において、
データを蓄積するデータ蓄積部を備え、
前記制御部は、該データ蓄積部に蓄積する場合と外部に出力する場合とで前記リマックス部の出力を異ならせることを特徴とする受信装置。
【請求項３】
請求項１又は２記載の受信装置において、
データを蓄積するデータ蓄積部を備え、
前記リマックス部は、該データ蓄積部から再生したデータに対して指定されたデータを抽出すると共に新たに作成しあるいは予め用意したデータを多重することを特徴とする受信装置。
【請求項４】
請求項３記載の受信装置において、
前記予め用意したデータが、SITまたはDITであることを特徴とする受信装置。
【請求項５】
放送信号を受信する受信部と、
該受信部により受信された該放送信号を復調する復調部と、
該復調部により復調された該放送信号から所定のデータを抽出するとともに新たに作成されたデータあるいは所定のデータを多重する第１及び第２のデータ多重部と、
データを記録するデータ記録部と
該第１のデータ多重部と該第２のデータ多重部のそれぞれの出力信号を該データ記録部に記録する、あるいは外部インターフェースを介して出力するように制御する制御部とを備えることを特徴とする受信装置。
【請求項６】
請求項５記載の受信装置において、
前記制御部は、データ記録部に記録する場合と外部インターフェースを介して出力する場合とで前記第１及び第２のデータ多重部からの出力を異ならせるように制御することを特徴とする受信装置。
【請求項７】
請求項５記載の受信装置において、
前記第１及び第２のデータ多重部は、前記データ記録部から再生されたデータに対して指定されたデータを抽出するとともに、新たに作成され、あるいは、予め用意されたデータを多重することを特徴とする受信装置。
【請求項８】
放送信号を受信する第１及び第２の受信部と、
該第１及び第２の受信部により受信された該放送信号を復調する第１及び第２の復調部と、
該第１及び第２の復調部により復調された該放送信号から指定されたデータを抽出するとともに新たに作成されたデータあるいは所定のデータを多重する第１及び第２のデータ多重部と、
データを記録するデータ記録部と
該第１のデータ多重部と該第２のデータ多重部のそれぞれの出力信号を該データ記録部に記録する、あるいは外部インターフェースを介して出力するように制御する制御部とを備えることを特徴とする受信装置。
【発明の詳細な説明】
【技術分野】
【０００１】
本発明は、ストリームデータをデータ蓄積媒体に記録あるいは外部に出力する受信装置に関するものであり、特に、デジタル放送を受信可能な受信装置に関する。
【背景技術】
【０００２】
近年、放送衛星を利用したＢＳデジタル放送や地上波を使ったデジタル放送サービスが始まっている。BSデジタル放送や地上デジタル放送等、異なる送信源からの放送波を受信する為に複数のチューナを搭載したデジタル放送受信機が普及しつつあることから、今後はこれらのデジタル放送の番組を同時に記録したいといった要求が出てくることが予想される。複数のデジタル放送番組を同時に記録する構成を有する従来例としては、例えば特許文献１のような方法が開示されている。
【０００３】
【特許文献１】特開２００２−１０１４８号公報
【発明の開示】
【発明が解決しようとする課題】
【０００４】
特許文献１の具体的な構成を図１１に示す。図１１において、２０１１および２０１２はトランスポートストリームを受信するデジタルチューナ部、２０２はデジタルチューナ部２０１１および２０１２で受けたトランスポートストリームの振り分けを行うトランスポートストリーム切替えスイッチ部、２０３は多重化されているトランスポートストリームを分離して独立した映像ストリームや音声ストリームとするデマルチプレクサ部、２０４、２０５は符号化されている映像ストリームおよびや音声ストリームをデコードしてそれぞれビデオ信号およびオーディオ信号として出力するＭＰＥＧ映像デコーダ部およびＭＰＥＧ音声デコーダ部、２０６１および２０６２はトランスポートストリーム切替えスイッチ部２０２で振り分けられたトランスポートストリームにＰＩＤ（Packet Identification：パケット識別子）フィルタを通してパケットの属性に基づいてトランスポートストリームを弁別してパーシャルＴＳを生成するパーシャルＴＳ生成用ＰＩＤフィルタ部、ＣＭはパーシャルＴＳ生成用ＰＩＤフィルタ部２０６１および２０６２から出力されるデータを一時的に記憶するキャッシュメモリ、２０７はトランスポートストリームを記録するＨＤＤ２０８の記録動作および再生動作を管理するＨＤＤ記録再生管理部、２０９は上記各構成の動作制御を行うマイクロプロセッサ部である。
【０００５】
図１１においては、デジタルチューナ部２０１１及び２０１２で受信したトランスポートストリームからＰＩＤフィルタ２０６１及び２０６２によって記録するデータだけを弁別しＨＤＤ２０８に記録することが出来る。
【０００６】
しかしながら、特許文献1においては、記録したいデータを外部に出力して外部の装置で記録することは一切考慮されていなかった。従って、ＨＤＤ２０８の容量一杯まで番組が記録されてしまうとそれ以上記録できなくなる点に関しては、その着想すら想定されておらず、ユーザの利用シーン及び使い勝手に関する検討が不十分であった。
【０００７】
そこで、本発明においては、受信されるデータを効率的に処理できる受信装置を提供することを目的とする。
【課題を解決するための手段】
【０００８】
上記課題を解決するために、例えば、放送波を受信する受信部と、該受信部により受信された該放送波を復調する復調部と、該復調部により復調された該放送波から指定されたデータを抽出すると共に新たに作成しあるいは予め用意したデータを多重するリマックス手段と、データを蓄積するデータ蓄積部と、前記リマックス手段を複数有し、前記複数のリマックス手段の出力を記録し、あるいは外部に出力するように制御する制御部とを備えるように構成した。
【０００９】
また、前記複数のリマックス手段の出力をデータ蓄積手段に記録する際と、外部に出力する際とで異ならせるようにした。
【００１０】
また、前記複数のリマックス手段を用いて前記データ蓄積手段から再生したトランスポートストリームに対して、指定されたデータを抽出すると共に新たに作成しあるいは予め用意したデータを多重し、外部に出力できるようにした。
【発明の効果】
【００１１】
本発明によれば、受信されるデータを効率的に処理できる受信装置を提供することができる。
【発明を実施するための最良の形態】
【００１２】
以下、図面を用いて本発明の実施例を説明する。なお、以下において、同一符号・記号は同一の構成を意味するものであるとする。
【実施例１】
【００１３】
図１は、本実施例におけるデジタル放送受信機の構成例を示す図である。尚、以下の説明においては、デジタル放送を受信できる受信装置又は受信機を想定するが、これに限定されるものではなく、また、ＭＰＥＧ（Moving Picture Experts Group）方式によって符号化され多重化された信号を処理する場合について説明するが、これによって処理する信号をＭＰＥＧ方式の信号に限定するものではない。
【００１４】
１０、１１は、放送局（図示しない）から送出される電波を受信する放送受信アンテナである。チューナ２０、２１はアンテナ１０、１１から供給される放送信号から復調、誤り訂正等を行ってトランスポートストリームを再生する。本実施例で示すストリームは、例えば図２に示すような１８８バイトのパケットを複数並べて構成されるトランスポートストリームである。パケットとパケットの間には無効なデータが含まれる場合もある。再生されたトランスポートストリームは、ストリーム経路制御手段３０を経由して、第一のリマックス手段４０に供給され、指定された番組の符号化映像データ、符号化音声データ、及びその他のデータが抽出される。
【００１５】
リアルタイムに視聴する場合は、抽出された符号化映像データと符号化音声データはデコーダ５０に供給され、復号されて映像信号と音声信号が出力される。復号された映像信号はグラフィック手段６０に供給され、状況によってグラフィック画面が重畳されて出力される。グラフィック手段６０の出力映像信号とデコーダ５０の出力音声信号は映像出力端子７０と音声出力端子８０から出力され、図示しない再生装置で再生される。
【００１６】
一方、図示しないリモコン等からの指示が入力端子１３０を経由して制御手段１４０に入力され、これによって指定された番組を記録する場合は、前述の第一のリマックス手段４０、あるいは第二のリマックス手段９０によって、指定された番組に関連したパケットだけを抽出すると共に再生時に参照する為の新たに作成しあるいは予め用意されたパケットを多重して出力する。
【００１７】
記録するために指定した番組のトランスポートストリームを第一のリマックス手段４０あるいは第二のリマックス手段９０によって処理した場合の、入力及び出力トランスポートストリームの一例を図３に示す。
【００１８】
図３では、映像データＶ１、音声データＡ１及び時間情報ＰＣＲ（Program Clock Reference）から構成された番組を記録するものとする。また、図３には示していないが、番組の構成要素としてデータ放送がある場合にはこのデータ放送のパケットも記録する。リマックス手段４０あるいはリマックス手段９０は制御手段１４０からの制御に従って再生時に参照するパケットであるＰＡＴ（Program Assosiation Table）、ＰＭＴ（Program Map Table）等の情報パケットを一旦削除し、映像データＶ１と音声データＡ１、及び時間情報ＰＣＲから構成された番組だけが多重されたストリームに適したＰＡＴとＰＭＴを作成し多重する。尚、ＰＡＴ、ＰＭＴ等は削除してから多重するのではなく、図示しないメモリ上で必要なデータの書換え処理を行っても良い。
【００１９】
また、記録する番組のタイトル等の番組情報を抽出し、抽出した番組情報に基づいてＳＩＴ（Selection Information Table）を作成して多重する。Ｖ２、Ａ２、Ｖ３、Ａ３は記録しない番組の映像及び音声データ等のパケットであり、これらは再生時には不要なので削除する。これにより、図３（ａ）の入力トランスポートストリームに対して図３(ｂ) のような出力トランスポートストリームが得られる。
【００２０】
なお、上記以外に再生時に参照したい情報パケットがある場合は、該情報パケットも抽出し出力しても良い。
【００２１】
ここで、第一のリマックス手段４０は、番組を再生して表示する際にも用いるものであり、データ抽出機能はパケット単位での抽出に加えて、パケットデータの一部だけを抽出する機能も有する。
【００２２】
一方、第二のリマックス手段９０については、記録・再生、あるいは外部への出力だけに目的を限定したものであっても良く、この場合のデータ抽出機能はパケット単位での抽出のみに限定されたものであっても良い。
【００２３】
リマックス手段４０あるいはリマックス手段９０の出力トランスポートストリームは記録再生制御手段１００に入力される。記録再生制御手段１００は、メモリ１１０を用いてトランスポートストリームの処理を行い、入力されたトランスポートストリームをＨＤＤ１２０に記録する。
【００２４】
記録再生制御手段１１０の構成の一例を図４に示す。入力されたトランスポートストリームは、ストリーム入出力処理手段１０１０を経由してタイムスタンプ処理手段１０２０に入力される。タイムスタンプ処理手段１０２０は、入力ストリームの各パケットに例えば、図５に示すように、入力された時刻を示すタイムスタンプデータを付加する。
【００２５】
タイムスタンプデータを付加するのは、録画したデータをＨＤＤ１２０から再生してトランスポートストリームとして出力する際に、入力時点のタイミングを正確に再現する為である。
【００２６】
これによって、データとして記録したトランスポートストリームを再生し、出力してデコーダ５０でデコードし、あるいは外部に出力する際に時間情報を再現できる。タイムスタンプが付加されたトランスポートストリームデータは、メモリコントローラ１１００を経由し、一旦メモリ１００に格納される。
【００２７】
次に、タイムスタンプが付加されたトランスポートストリームデータは、メモリコントローラ１１００を経由して読み出され、暗号処理手段１０３０により暗号化される。トランスポートストリームデータを暗号化するのは著作権保護の為である。暗号化されたトランスポートストリームデータは、再度メモリコントローラ１１００を経由してメモリ１００に格納される。格納された暗号化トランスポートストリームデータは、ＨＤＤ１２０との接続インターフェースであるＡＴＡ（AT Attachment）１０４０を介してＨＤＤ１２０に記録される。
【００２８】
再生時は、ＨＤＤ１２０に記録されているトランスポートストリームデータがＡＴＡインターフェース１０４０を介して読み出され、メモリコントローラ１１００を経由して一旦メモリ１００に格納される。
【００２９】
メモリ１００に格納したトランスポートストリームデータは、メモリコントローラ１１００を経由して暗号処理手段１０３０に入力され、暗号の解除処理を行ってメモリコントローラ１１００を経由して再度メモリ１００に格納される。
【００３０】
暗号を解除してメモリ１００に格納されたトランスポートストリームデータは、メモリコントローラ１１００を経由してタイムスタンプ処理手段１０２０に入力され、タイムスタンプが除去されたデータが、付加されていたタイムスタンプの示す時刻に、ストリーム入出力処理手段１０１０を経由して出力される。
【００３１】
これによって、ＨＤＤ１２０に記録されたトランスポートストリームデータを再生して入力時のタイミングを再現したトランスポートストリームを出力することができる。これらの動作制御は、図1に示した制御手段１４０から行う。
【００３２】
上記で説明したような動作で記録され再生されたトランスポートストリームは、ストリーム経路制御手段３０を経由してリマックス手段４０に入力され、前述の説明と同様にして映像と音声が再生される。
【００３３】
また、状況に応じ、トランスポートストリームに多重されている情報パケットを参照し、グラフィック画面が重畳され表示される。
【００３４】
上記で説明した動作は、図示しないリモコンなどの指示装置から入力手段１３０を経由して入力される指示と、図示しないメモリ等に予め記憶されたプログラムに従って動作する制御手段１４０によって。ＰＣＩ（Peripheral Components Interconnect）バスなどのバス１７０を介して制御される。また、図１においてはチューナ２０、２１は専用のバス１７１で制御手段１４０によって制御され構成を示している。
【００３５】
上記は、視聴している番組のトランスポートストリームをＨＤＤ１２０に記録する動作だけを行った場合の説明であるが、以下にチューナ２０で受信された番組のトランスポートストリームをＨＤＤ１２０に記録すると同時に、チューナ２１で受信している番組のトランスポートストリームを処理し、外部インターフェース手段１５０を介して外部に出力する場合の動作を説明する。
【００３６】
チューナ２０で受信されたストリームの処理に関しては上記の説明と同様なのでここでは説明を省略する。
【００３７】
チューナ２１で受信された番組のトランスポートストリームは、ストリーム経路制御手段３０を経由してリマックス手段９０に入力される。リマックス手段９０は、入力されたトランスポートストリームから指定された番組の映像パケット、音声パケット、及び時間情報ＰＣＲを抽出し、データ放送がある場合には該データ放送のパケットを抽出する。また、ＰＡＴ、ＰＭＴを一旦削除し、記録する番組に適したパケットとして作成したＰＡＴ，ＰＭＴを多重する。あるいは、ＰＡＴ、ＰＭＴの書換えを行う。
【００３８】
更に、リマックス手段９０は、番組のタイトル等の番組情報を抽出し、抽出したデータに基づいてＳＩＴを作成し多重するとともに、出力するストリームの先頭と最後にＤＩＴ（Discontinuity Information Table）を多重する。ここで、ＤＩＴは、ストリームが不連続になっている可能性があることを示すパケットである。
【００３９】
また、ＨＤＤ１２０に録画する際に記録されていたＰＡＴ、ＰＭＴ、ＳＩＴ以外の情報パケットがある場合はこれを削除する。このように、受信トランスポートストリームから特定の番組に関連したパケットだけを抽出し、あるいは新たなパケットを多重して作成したトランスポートストリームはパーシャルトランスポートストリームと呼ばれる。
【００４０】
上記で作成されたパーシャルトランスポートストリームは、リマックス手段９０から出力されストリーム経路制御手段３０を経由して外部インターフェース１５０に入力される。外部インターフェース１５０は、例えばＩＥＥＥ１３９４規格に準拠したインターフェース手段であり、入力されたトランスポートストリームに対してＩＥＥＥ１３９４規格に従った処理、すなわち、接続された機器の認証や送出するデータの暗号化等を行って入出力端子１６０から外部に出力する。入出力端子１６０から出力されたストリームは図示しない外部機器に入力され、記録されあるいは表示される。
【００４１】
なお、上記の説明では、外部インターフェースとしてＩＥＥＥ１３９４インターフェースを用いる例を示したが、これに限定されるものではなく、例えばネットワークインターフェースなどを用いても良い。
【００４２】
ネットワークインターフェースを用いた場合であっても上記の説明と同様に、認証処理、暗号化処理等を行い外部に出力して外部の機器で視聴したり、あるいは記録することができる。
【００４３】
上記で説明したように、リマックス手段を２系統備えることによって、デジタル放送受信機が内蔵するＨＤＤ１２０に視聴中の番組を録画出来ると同時に、視聴に使用しているチューナとは異なるチューナで受信したストリームの処理を行って外部に出力することができるので、２つの異なる番組を同時に視聴し、あるいは記録することが出来る。
【００４４】
尚、リマックス手段４０とリマックス手段９０を用いて、チューナ２０で受信した番組のトランスポートストリームとチューナ２１により受信されたトランスポートストリームを同時にＨＤＤ１２０に記録することも出来る。
【００４５】
以下、この場合の動作を説明する。図４に示した記録再生制御手段１００のデータ処理能力とＨＤＤ１２０とのインターフェースであるＡＴＡインターフェース１０４０のデータ転送能力は、入力されるトランスポートストリームの転送速度より十分大きいものであり、２本のトランスポートストリームを同時に処理してＨＤＤ１２０に記録することができる。
【００４６】
チューナ２０により受信された番組のトランスポートストリームとチューナ２１により受信されたトランスポートストリームの２本のトランスポートストリームが、ストリーム経路制御手段３０を経由してリマックス手段４０とリマックス手段９０とに各々入力される。リマックス手段４０とリマックス手段９０は、入力されたトランスポートストリームに対して、前述したようなＨＤＤ１２０に記録する為の処理を行い、ストリーム経路制御手段３０に出力する。
【００４７】
ストリーム経路制御手段３０に出力された２本のトランスポートストリームは、図４のストリーム入出力処理手段１０１０を経由してタイムスタンプ処理手段１０２０に入力され、各々のトランスポートストリームのパケットにタイムスタンプが付加されて、メモリコントラーラ１１００を経由してメモリ１１０に格納される。
【００４８】
以後の動作は、扱うトランスポートストリームの数が２本になったことでデータ処理量が１本だけ処理する場合に比べて増えるが、処理内容は1本だけ扱う場合と同様である。
【００４９】
上記で説明したように、２つのリマックス手段を用いることで異なるチューナで受信したトランスポートストリームから各々指定した番組だけをＨＤＤ１２０に同時に記録することが出来る。
【実施例２】
【００５０】
上記の説明とは異なる動作について以下に説明する。以下では、チューナ２０で受信している番組のトランスポートストリームをＨＤＤ１２０に記録すると同時に、ＨＤＤ１２０から再生したトランスポートストリームを外部インターフェース１５０を介して外部に出力する場合を説明する。
【００５１】
チューナ２０で受信している番組のトランスポートストリームをＨＤＤ１２０に記録する場合の動作は、上記の説明と同様なのでここでは説明は省略する。
【００５２】
ＨＤＤ１２０に記録されているトランスポートストリームデータは、制御手段１４０からの制御により記録再生制御手段１００がＨＤＤ１２０から読み出す。ＨＤＤ１２０から読み出されたデータは記録再生制御手段１００で処理を行ってトランスポートストリームとして出力される。記録再生制御手段１００から出力されたトランスポートストリームは、ストリーム経路制御手段３０を介してリマックス手段９０に入力される。リマックス手段９０は、入力されたストリームにＰＡＴ，ＰＭＴ、ＳＩＴ以外の情報パケットが含まれている場合はこれを削除すると共に、トランスポートストリームの先頭と最後に不連続点が存在することを示す為にＤＩＴを多重する。これによってパーシャルトランスポートストリームを作成し、外部インターフェース手段１５０を介して外部に出力する。
【００５３】
これによってチューナ２０で受信している番組のトランスポートストリームは、ＨＤＤ１２０に記録されると同時に、ＨＤＤ１２０から再生したトランスポートストリームは外部インターフェース１５０を介して外部に出力される。
【００５４】
これにより、放送番組の視聴・記録処理を行いながら、ＨＤＤ１２０に記録されている番組データを読み出し、必要な処理を行って外部インターフェース１５０から入出力端子１６０を経由して出力することが出来るので、入出力端子１６０に接続された図示しない外部の機器でＨＤＤ１２０から再生された番組を視聴し、あるいは記録することが出来る。そのため、ユーザの使い勝手は向上する。
【００５５】
尚、入出力端子１６０と図示しない外部機器との接続は有線で接続されたインターフェースである必要はなく、例えば無線ＬＡＮ（Local Area Network）等を利用した無線伝送手段を用いても良い。無線ＬＡＮを用いることによって、ケーブルによる接続を行うことなく離れた場所に設置された再生装置で、デジタル放送受信機が内蔵するＨＤＤ１２０に記録された番組を再生して視聴することが出来、更に使い勝手を向上することが出来る。あるいは、有線であっても、例えば電灯線を利用した伝送手段を用いれば専用の接続ケーブル等で配線する必要がなく、上記と同様に使い勝手を向上することが出来る。
【００５６】
上記以外の組合せとしては、例えばＨＤＤ１２０に記録されている２つの番組を同時に外部に出力することも出来る。その場合は、例えば図６に示すように、外部インターフェースを２つ搭載すれば良い。
【００５７】
図６においては、一方の外部インターフェース１５０にはＩＥＥＥ１３９４インターフェースを用い、もう一方の外部インターフェース１８０にはネットワークインターフェースを用いた例を示している。これにより、例えばＩＥＥＥ１３９４インターフェース１５０の入出力端子１６０に接続された外部機器にＨＤＤ１２０から再生したトランスポートストリームを処理・出力して録画（ダビング）すると同時に、ネットワークインターフェース１８０と入出力端子１９０を介して異なるトランスポートストリームを出力し、外部の機器で再生して視聴するといった使い方が可能である。
【００５８】
尚、上記の説明では２つの異なるインターフェース手段を用いる例を示して説明したが、２つのインターフェース手段は同じものであっても良い。また、インターフェース手段は一つであってもその転送速度が十分速ければ一つのインターフェース手段から２つの異なるトランスポートストリームを同時に出力することもできる。この場合、例えば図７に示すように、ネットワークインターフェース１８０に２本のトランスポートストリームを同時に入力して処理・出力する。入出力端子１９０は図示しないネットワークに接続されており、該ネットワークに複数の外部機器を接続することで、ＨＤＤ１２０から読み出した２つの番組データを一つのネットワークインターフェース手段を用いて異なる２つの外部接続機器に送出することができる。
【実施例３】
【００５９】
ここまでの説明では、ＨＤＤ１２０に記録した番組をトランスポートストリームとして再生し、外部インターフェース手段１５０あるいは外部インターフェース手段１８０によって外部に出力する例を示したが、トランスポートストリームとしてではなくデータとして出力しても良い。
【００６０】
データとして出力する場合の動作の一例を以下に説明する。ＨＤＤ１２０からＡＴＡ１０４０によって読み出した番組データはメモリ１１０とメモリコントローラ１１００を経由して暗号処理手段１０３０に入力され、暗号が解除される。暗号が解除された番組データは再度メモリ１１０とメモリコントローラ１１００を経由してタイムスタンプ処理手段１０２０に入力され、各パケットに付加されているタイムスタンプが除去される。タイムスタンプを除去されたデータはバス１７０を介してリマックス手段９０に転送される。リマックス手段９０は転送されたデータに対して、前述のトランスポートストリームに対する処理と同様にリマックス処理を行う。リマックス処理を行った番組データはバス１７０を介して外部インターフェース手段１５０あるいは外部インターフェース手段１８０に転送される。外部インターフェース手段１５０あるいは外部インターフェース手段１８０は転送されたデータを必要な処理を行って入出力端子１６０あるいは入出力端子１９０から外部に出力する。
【００６１】
次に、データとして出力する場合の上記とは異なる方法を以下説明する。ＨＤＤ１２０からＡＴＡ１０４０によって読み出された番組データはメモリ１１０とメモリコントローラ１１００を経由して暗号処理手段１０３０に入力され、暗号が解除される。
【００６２】
暗号が解除された番組データは、制御バス１７０を介してリマックス手段９０に転送される。リマックス手段９０は、制御手段１４０からの制御に従って設定されたパケットを多重する。ここで、各パケットにはタイムスタンプが付加されていることから、新たに多重したパケットにも多重した位置に適したタイムスタンプが付加される。具体的には、新たに多重するパケットの前後のパケットに付与されたタイムスタンプから多重するパケットに適したタイムスタンプの値を求めてタイムスタンプデータを付加すればよい。
【００６３】
このようにしてリマックス処理が行われた番組データは、バス１７０を介して外部インターフェース手段１５０あるいは外部インターフェース手段１８０に転送され、前述の説明と同様にして入出力端子１６０あるいは入出力端子１９０から外部に出力される。
【００６４】
尚、上記においては、番組データのマックス手段９０への転送は、バス１７０を介して行うものとして説明したが、図８に示すようにリマックス手段９０をメモリコントローラ１１００にも接続してメモリ１１０を介して転送するように構成しても良い。
【００６５】
この場合、リマックス手段９０は、タイムスタンプ処理手段１０２０でタイムスタンプが除去された番組データ、あるいは暗号処理手段１０３０で暗号が解除された番組データはメモリコントローラ１１００を介して読出され、リマックス処理を行って、バス１７０経由で外部インターフェース手段１５０あるいは外部インターフェース手段１８０に転送されるようにすれば良い。
【００６６】
図９に図１〜図８とは異なる構成例を示す。図９は、蓄積手段１２０とは異なる蓄積手段１２１を更に接続したものである。蓄積手段１２１は例えば蓄積手段１２０と同じくＨＤＤであっても良いし、光磁気ディスクなどの蓄積手段であっても良い。
【００６７】
前述の説明において、ＨＤＤ１２０に２つの異なる番組のトランスポートストリームを記録する例を示したが、図９においては、先の説明と同様にしてリマックス手段４０とリマックス手段９０を用いて指示された番組のトランスポートストリームを処理し、記録再生制御手段１００に入力する。
【００６８】
入力されたトランスポートストリームは、各々前述の説明と同様に処理を行う。ここで、記録再生御手段１００に蓄積手段を２つ接続するために、例えば、図１０に示したような構成を用いる。
【００６９】
図１０において１０４１は、ＡＴＡ１０４０と同様なＡＴＡインターフェースである。ＡＴＡインターフェース１０４１にもＨＤＤあるいは光磁気ディスクなどの蓄積手段が接続されるものである。これによって入力された各々異なる２本のトランスポートストリームを異なる蓄積手段に同時に記録することが出来る。
【００７０】
上記の説明においては、チューナとリマックス手段を各々２系統用いて構成したデジタル放送受信機の構成を説明したが、チューナとリマックス手段を更に複数備えても良い。そのような構成であっても上記の説明と同様にして複数のトランスポートストリームを処理して記録し、あるいは外部に出力できることは言うまでも無い。これにより、例えば、今視聴している番組と同じ時間帯に録画等したい番組が２つ以上ある場合でも、複数のチューナやリマックス手段を用いて効率的に処理できるため、更なるユーザの使い勝手の向上が期待できる。
【００７１】
以上に説明したように、本発明のデジタル放送受信機は記録した番組データをリマックス処理して外部に出力することで多様な使い方を提供することが出来、使い勝手を良くすることが出来る。
【図面の簡単な説明】
【００７２】
【図１】本実施例の構成を示す図である。
【図２】本実施例において、入力される信号の例を示す図である。
【図３】本実施例において処理される信号の例を示す図である。
【図４】本実施例における記録再生制御手段の構成例を示す図である。
【図５】本実施例において処理される信号の例を示す図である。
【図６】本実施例における受信装置の構成を示す図である。
【図７】本実施例における受信装置の構成を示す図である。
【図８】本実施例における記録再生制御手段の構成例を示す図である。
【図９】本実施例におけるデジタル放送記録再生装置の実施例を示す図である。
【図１０】本実施例におけるデジタル放送受信機の記録再生制御手段の構成例を示す図である。
【図１１】従来のデジタル放送受信機の構成を示す図である。
【符号の説明】
【００７３】
１０、１１・・・アンテナ 
２０、２１、２２、２３・・・チューナ
３０・・・経路制御手段 
４０、９０・・・リマックス手段
５０・・・デコーダ
６０・・・グラフィック手段
７０・・・映像信号出力端子
８０・・・音声信号出力端子。
１００・・・記録再生制御手段 
１１０・・・メモリ 
１２０・・・蓄積手段
１３０・・・コマンド入力端子
１４０・・・制御手段
１５０、１８０・・・外部インターフェース手段
１６０、１９０・・・入出力端子
１７０・・・制御バス、１７１
１０１０・・・ストリーム入出力手段
１０２０・・・タイムスタンプ処理手段
１０３０・・・暗号処理手段
１０４０・・・ＡＴＡインターフェース
【図１】
2006352721.tif 000003
【図２】
2006352721.tif 000004
【図３】
2006352721.tif 000005
【図４】
2006352721.tif 000006
【図５】
2006352721.tif 000007
【図６】
2006352721.tif 000008
【図７】
2006352721.tif 000009
【図８】
2006352721.tif 000010
【図９】
2006352721.tif 000011
【図１０】
2006352721.tif 000012
【図１１】
2006352721.tif 000013